(57)【特許請求の範囲】
【請求項１】
商品を収納した複数の商品収納室と、商品収納室を冷却する冷却熱交換器を有する冷却室と、商品収納室を加熱する加熱熱交換器を有する加熱室と、商品収納室と冷却室とを繋ぐ冷却通路と、商品収納室と加熱室とを繋ぐ加熱通路と、商品収納室に繋がる冷却通路と加熱通路を切り換える通路切替手段とを有する自動販売機において、
断熱材で溝状にダクトを形成する第１の枠体と、該第１の枠体の上面に載置する天板とで前記冷却通路と前記加熱通路とを形成するダクト部を有し、当該ダクト部が前記第１の枠体の外表面を囲繞する態様で防水性のシート状部材で成形する第２の枠体を挿設したことを特徴とする自動販売機。
【請求項２】
前記ダクト部は、前記天板と前記第２の枠体との間にパッキンを挿設するとともに、外周縁に複数の締結手段を配し、当該締結手段により、前記天板、前記第１の枠体、前記第２の枠体および前記パッキンを一体に締結したことを特徴とする請求項１に記載の自動販売機。
【請求項３】
前記通路切替手段は、前記冷却通路の吐出口と吸込口、および前記加熱通路の吐出口と吸込口とを開閉機構により連動して選択的に切り替えるものであって、当該開閉機構がピニオンおよび互いに反対方向にスライド移動するラックを備えたことを特徴とする請求項１に記載の自動販売機。
【請求項４】
前記加熱室内に圧縮機の一部を挿設し、挿設した当該圧縮機の外周部にフィンを備えたことを特徴とする請求項１に記載の自動販売機。
【請求項５】
前記加熱室の内部と圧縮機の外表面とを熱的接続する熱移送手段を設けたことを特徴とする請求項１に記載の自動販売機。
【発明の詳細な説明】
【技術分野】
【０００１】
本発明は、商品収納庫の内部に収容された商品を冷却,加熱する自動販売機に関する。
【背景技術】
【０００２】
近年の地球温暖化に対して二酸化炭素の排出量削減が課題となっており、自動販売機も省エネ型の自動販売機が開発されている。その１方式として従来は排熱していた凝縮器の熱を庫内の加温に利用するヒートポンプ方式の自動販売機が注目されている（例えば、特許文献１参照）。
しかしながら、この自動販売機は、庫内側の熱交換器を冷却時には蒸発器として使用し、加温時には凝縮器として使用するため、自動販売機の冷却加熱の運転モードによって冷媒の流し方を変更させる必要がある結果、冷凍回路の配管が複雑になりコスト高を招来するという問題がある。
これに対して、発明者らは冷媒の流し方を変更する代わりに庫内を流す冷気および暖気をダクトにより切り替える方式の開発を進めている。この種の自動販売機としては、ヒートポンプ運転ではないが、商品収納庫の下方に蒸発器を設置した冷却室を設けて、配管結合するダクトを用いて庫内に冷気を送風循環させる方式も知られている（例えば、特許文献２、３参照）。
【特許文献１】特開２００２−２９８２１０号公報
【特許文献２】特開平３−２８６２９１号公報
【特許文献３】特開平３−２８６２９２号公報
【発明の開示】
【発明が解決しようとする課題】
【０００３】
しかしながら、この種の自動販売機を冷気ダクト、暖気ダクトを使用するヒートポンプ自動販売機に適用するには、コストの上昇、熱ロスの発生、加熱能力の不足などの問題点があり、具体的には下記に示す課題がある。
（１）複数のダクトを配管結合すると組立コストが上昇するので、冷気ダクトと暖気ダクトを同一枠体に配設されることが考えられるが、そのことにより、温度差による熱ロスが増加する。
（２）庫内において、商品容器の破ビン等により飲料がダクト内に流入すると、ダクト内の断熱材が水分を吸収して経時的に断熱性能が低下する。
（３）冷気ダクトと暖気ダクト路の切替機構を複雑化すると、製造コスト、組立コストの増大を招来する。
（４）冷気ダクトと暖気ダクトの吐出口、吸込口を同時に切り替える場合、切替機構の係合部が有する隙間から庫内に冷却もしくは加熱した空気が流出すると、庫内の空気と混合し、熱ロスが発生する。
（５）従来の庫内に加熱源を設置する方式と比較して、加熱源を庫外に設置させることにより熱輸送による熱ロスが生じるため、その分加熱能力の増加が必要である。
【０００４】
本発明は、上記実情に鑑みて、（１）〜（５）の課題を解決して、効率的にヒートポンプ運転を行い、消費電力の少ない自動販売機を提供することを目的とする。
【課題を解決するための手段】
【０００５】
上記した目的を達成するために、請求項１に係る発明の自動販売機は、商品を収納した複数の商品収納室と、商品収納室を冷却する冷却熱交換器を有する冷却室と、商品収納室を加熱する加熱熱交換器を有する加熱室と、商品収納室と冷却室とを繋ぐ冷却通路と、商品収納室と加熱室とを繋ぐ加熱通路と、商品収納室に繋がる冷却通路と加熱通路を切り換える通路切替手段とを有する自動販売機において、断熱材で溝状にダクトを形成する第１の枠体と、該第１の枠体の上面に載置する天板とで前記冷却通路と前記加熱通路とを形成するダクト部を有し、当該ダクト部が前記第１の枠体の外表面を囲繞する態様で防水性のシート状部材で成形する第２の枠体を挿設したことを特徴とする。
請求項２に係る発明の自動販売機は、請求項１に記載の自動販売機において、前記ダクト部は、前記天板と前記第２の枠体との間にパッキンを挿設するとともに、外周縁に複数の締結手段を配し、当該締結手段により、前記天板、前記第１の枠体、前記第２の枠体および前記パッキンを一体に締結したことを特徴とする。
請求項３に係る発明の自動販売機は、請求項１に記載の自動販売機において、前記通路切替手段は、前記冷却通路の吐出口と吸込口、および前記加熱通路の吐出口と吸込口とを開閉機構により連動して選択的に切り替えるものであって、当該開閉機構がピニオンおよび互いに反対方向にスライド移動するラックを備えたことを特徴とする。
【０００６】
請求項４に係る発明の自動販売機は、請求項１に記載の自動販売機において、前記加熱室内に圧縮機の一部を挿設し、挿設した当該圧縮機の外周部にフィンを備えたことを特徴とする。
請求項５に係る発明の自動販売機は、請求項１に記載の自動販売機において、前記加熱室の内部と圧縮機の外表面とを熱的接続する熱移送手段を設けたことを特徴とする。
【発明の効果】
【０００７】
本発明に請求項１に係る自動販売機によれば、商品を収納した複数の商品収納室と、商品収納室を冷却する冷却熱交換器を有する冷却室と、商品収納室を加熱する加熱熱交換器を有する加熱室と、商品収納室と冷却室とを繋ぐ冷却通路と、商品収納室と加熱室とを繋ぐ加熱通路と、商品収納室に繋がる冷却通路と加熱通路を切り換える通路切替手段とを有する自動販売機において、断熱材で溝状にダクトを形成する第１の枠体と、該第１の枠体の上面に載置する天板とで前記冷却通路と前記加熱通路とを形成するダクト部を有し、当該ダクト部が前記第１の枠体の外表面を囲繞する態様で防水性のシート状部材で成形する第２の枠体を挿設したことにより、冷却・加熱の４本のダクトが同一の枠体に収設されるので、部品点数が少なくなる結果、コストが低減される。また、防水性のシート状部材で成形する第２の枠体により、収納された飲料が破ビン等で零れても直接断熱材に浸透することがないので、吸水による経年的な断熱材の性能低下がなく、長期に安定して断熱性能が確保できる。
本発明に請求項２に係る自動販売機によれば、請求項１に記載の自動販売機において、前記ダクト部は、前記天板と前記第２の枠体との間にパッキンを挿設するとともに、外周縁に複数の締結手段を配し、当該締結手段により、前記天板、前記第１の枠体、前記第２の枠体および前記パッキンを一体に締結したことにより、自動販売機の組立ライン外で組立が可能となるので、組立コストが低減する。
【０００８】
本発明に請求項３に係る自動販売機によれば、請求項１に記載の自動販売機において、前記通路切替手段は、前記冷却通路の吐出口と吸込口、および前記加熱通路の吐出口と吸込口とを開閉機構により連動して選択的に切り替えるものであって、当該開閉機構がピニオンおよび互いに反対方向にスライド移動するラックを備えたことにより、簡単な機構で、確実に庫内の通路を遮蔽でき、コストが低減する。
本発明に請求項４に係る自動販売機によれば、請求項１に記載の自動販売機において、前記加熱室内に圧縮機の一部を挿設し、挿設した当該圧縮機の外周部にフィンを備えたことにより、圧縮機からの排熱を有効に庫内商品の加熱に利用できる結果、加熱の性能が向上する。
【０００９】
本発明に請求項５に係る自動販売機によれば、請求項１に記載の自動販売機において、請求項１に記載の自動販売機において、前記加熱室の内部と圧縮機の外表面とを熱的接続する熱移送手段を設けたことにより、圧縮機からの排熱を有効に庫内商品の加熱に利用できるので、加熱の性能が向上する。
【発明を実施するための最良の形態】
【００１０】
以下に添付図面を参照して、本発明に係る好適な実施の形態１を詳細に説明する。なお、この実施の形態１によりこの発明が限定されるものではない。
図１〜図１４は、本発明に係る実施の形態１を説明した図である。図１は、本発明に係る実施例１を示す自動販売機の全体図の斜視図であり、図２は、図１に示した自動販売機の外扉と内扉とを開放し、商品ラックを外した状態を示す正面図である。なお、図２の左側商品室では商品搬出シュートも外している。図３は、図２に示した自動販売機のII−II断面図であり、図４は、図２に示した自動販売機のIII−III断面図である。図５は、図１に示すダクト部の斜視図であり、図６は、図１に示すダクト部の分解図であり、図７は、ダクト部の第２の枠体を下から見た斜視図である。図８は、図２に示した自動販売機のIV−IV断面下部の斜視図である。図９は、図８に示した通路切替手段の斜視図であり、図１０は、通路切替手段の側面図であり、図１１は、通路切替手段の断面図である。図１２は、通路切替手段の動作図を示す斜視図であり、（ａ）は冷却運転時、（ｂ）は開閉操作の途中時、（ｃ）は加熱運転時である。図１３は、図２に示した冷却／加熱ユニットの斜視図であり、図１４は、図１に示した自動販売機の冷媒回路図である。図１５は、圧縮機の模式図である。
【００１１】
これら図において、図１，２に示すように自動販売機は、前面が開口した直方状の断熱体として形成された本体キャビネット１０と、その前面に設けられた外扉２０および内扉３０と、本体キャビネット１０の内部を上下2段に底板１１にて区画形成し、上部を例えば２つの断熱仕切板４０ｗによって仕切られた３つの独立した商品収納庫４０ａ、４０ｂ、４０ｃと、下部に商品収納庫４０ａ、４０ｂ、４０ｃおよびダクト部６０を介して冷却もしくは加熱する冷却／加熱ユニット９０を収納する機械室５０と、外扉２０の内側に配設され、商品収納庫４０ａ、４０ｂ、４０ｃ内の温度センサにより自動販売機の冷却、加熱運転などを制御する制御手段２００と、を有して構成されている。
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
内扉３０は、商品収納庫４０ａ、４０ｂ、４０ｃの前面を開閉し、内部の商品を保温するものであり、上下２段に分割され内部に断熱体を有する箱型形状の構造体である。上側の内扉３０ａは、一端を外扉２０に枢軸し、他端を外扉２０に係着して、外扉２０の開放と同時に上側の内扉３０ａを開放させて、商品の補充を容易にするものである。下側の内扉３０ｂは、一端を本体キャビネット１０に枢軸し、他端を本体キャビネット１０に不図示の掛金にて掛着して、外扉２０を開放したときには、閉止した状態であり、商品収納庫４０ａ、４０ｂ、４０ｃ内の冷気もしくは暖気が流出することを防ぎ、メンテナンス時など必要に応じて開放できるものである。
【００１２】
商品収納庫４０ａ，４０ｂ，４０ｃは、缶入り飲料やペットボトル入り飲料等の商品を所望の温度に維持した状態で収容するためのものであり、その収納庫の容量は商品収納庫４０ｃ、４０a、４０ｂの順番に大きな態様で配分されている。その商品収納庫４０ａ，４０ｂ，４０ｃには、それぞれ、商品を上下方向に沿って並ぶ態様で収納し、販売信号により1個ずつ商品を排出するための商品搬出機構を備えた商品収納ラックＲ、排出された商品を外扉の販売口２１へ搬出する商品搬出シュート４２を有している。また、商品収納庫４０ａ，４０ｂ，４０ｃは、図３，４に示すように背面側に背面ダクト４４、通風ダクト４５を取設し、収納庫下部には通風ダクト４５より連通して送風室７０、ダクト部６０を取設している。
商品収納庫４０ａ，４０ｂは、冷却と加熱の兼用であり、送風室７０の内部に冷却、加熱の通路を切り替える通路切替手段８０を取設している。一方、商品収納庫４０ｃは、冷却専用であり、送風室７０は設けられているが、通路切替手段８０は有していない。
商品搬出シュート４２は、商品搬出機構から搬出された商品を商品取出口２１に導くためのものであり、商品収納庫４０ａ，４０ｂ、４０ｃの奥方から手前側に向けて漸次下方に傾斜する態様で商品収納庫４０ａ，４０ｂ、４０ｃに固定してある平板状部材である。また、送風室７０から吹出す冷却もしくは加熱された空気を通過させるようにその表面に多数の孔が穿設されている。
【００１３】
背面ダクト４４は、商品収納庫４０ａ，４０ｂ、４０ｃ内の商品を冷却または加熱した空気を庫内より冷却／加熱ユニット９０に戻すための通気流路であり、商品収納庫４０ａ，４０ｂ、４０ｃの背面にそれぞれ取設された断面コの字状の板状部材である。背面ダクト４４は、上部が前面に向けて開口する吸込口を有し、下方部が通風ダクト４５と連通している。
通風ダクト４５は、背面ダクト４４から送風室７０へ空気を通風するためのものであり、断面矩形状の板状部材である。
機械室５０は、図２に示すように商品収納庫４０ａ，４０ｂ，４０ｃの下方に位置し、加熱室９１と冷却室９２を有する冷却／加熱ユニット９０と不図示の電源ユニット１１０等を収納するための空間である。
ダクト部６０は、底板１１に取設され、図５〜７で示されるように天板６１と、断熱部材で形成された第１の枠体６２と、防水性のシート状部材で成形された第２の枠体６３と、パッキン部材６４を有して構成され、商品収納庫４０ａ，４０ｂ，４０ｃと冷却／加熱ユニット９０との間で冷却もしくは加熱された空気を循環するための冷却通路および加熱通路を収設している。
【００１４】
天板６１は、板状部材であり、冷却専用の商品収納庫４０ｃに対応して冷気吸込口６１ａ、冷気吐出口６１ｂが開口して形成され、冷却加熱兼用の商品収納庫４０ｂ，４０ｃに対応してそれぞれ冷気吸込口６１ｄ、冷気吐出口６１ｅ、暖気吸込口６１ｃ、暖気吐出口６１ｆ、および冷気吸込口６１ｇ、冷気吐出口６１ｊ、暖気吸込口６１ｈ、暖気吐出口６１ｉが開口して形成されている。また、天板６１の周縁部には、ダクト空気の通路部を避ける態様で複数の取付ネジ部６９ａが形成されている。
第１の枠体６２は、シクロペンタンもしくは硬質ウレタンにて一体に成形された部材であり、上面を開口し、商品収納庫４０ａ，４０ｂ，４０ｃの並設方向に延在し、外側に加熱通路である暖気吸込ダクト６５、暖気吐出ダクト６６が形成され、内側に冷却通路である冷気吸込ダクト６７、冷気吐出ダクト６８が形成されている。また、前述の取付ネジ部６９ａに対応した位置に取付孔６９ｂを有している。
暖気吸込ダクト６５は、図４に示すようにダクト部６０の一番奥側に位置し、一方が商品収納庫４０ａ，４０ｂに連通するとともに、他方が後述する加熱熱交換器９６を収容した加熱室９１に連通するものである。具体的には、暖気吸込ダクト６５の一方（吸込側）が各商品収納庫４０ａ，４０ｂに対応した天板６１の暖気吸込口６１ｈ，６１ｃに開口する一方、暖気吸込ダクト６５の他方（吐出側）が加熱熱交換器９６を収容した加熱室９１に開口する吐出開口部６２ｃを有している。
【００１５】
暖気吐出ダクト６６は、ダクト部６０の一番手前側に位置し、一方が加熱室９１に連通するととともに他方が商品収納庫４０ａ，４０ｂに連通するものである。具体的には、暖気吐出ダクト６６の一方（吸込側）が加熱室９１に吸込開口部６２ｄを有して開口する一方、暖気吐出ダクト６６の他方（吐出側）が各商品収納庫４０ａ，４０ｂに対応した天板６１の暖気吐出口６１ｉ、６１ｆに開口するようになっている。
冷気吸込ダクト６７は、一方が商品収納庫４０ａ，４０ｂ，４０ｃに連通するとともに他方が冷却室９２に連通するものである。具体的には、図３、６に示すように冷気吸込ダクト６７の一方（吸込側）が各商品収納庫４０ａ，４０ｂ，４０ｃに対応した天板６１の冷気吸込口６１ｇ、６１ｄ、６１ａに開口する一方、冷気吸込ダクト６７の他方（吐出側）が冷却室９２に開口する冷気吸込口６２ａを有している。冷気吸込ダクト６７は、断面の形状が商品収納庫４０ａに向かう途中から断面積が増加する態様で形成されている。
冷気吐出ダクト６８は、冷気吸込ダクト６７と同様に一方が冷却室９２に連通するとともに他方が商品収納庫４０ａ，４０ｂ，４０ｃに連通するものであり、断面の形状も商品収納庫４０ａに向かう途中から断面積が増加する態様で形成されている。
なお、底板１１には、枠体６２の冷気吸込口６２ａ、冷気吐出口６２ｂ、暖気吸込口６２ｃ、暖気吐出口６２ｄに対応して、それぞれ開口部が形成されている。
【００１６】
第２の枠体６３は、1枚の防水性のシート状部材を加熱プレス加工により成形した部材であり、第１の枠体６３の冷気吸込ダクト６７、暖気吸込ダクト６５、暖気吐出ダクト６６、冷気吐出ダクト６８の表面を覆う態様で形成されている。また、図７に示すように第２の枠体６３は第１の枠体６２の冷気吸込口６２ａ、冷気吐出口６２ｂ、暖気吸込口６２ｃ、暖気吐出口６２ｄの壁面を覆うように形成されている。このように第１の枠体６２のダクト表面が第２の枠体６３に覆われているので、破ビン等により水分がダクト部６０に流入しても直接第１の枠体６２に侵入することがないので、断熱効果は長期に維持される。また、前述の取付ネジ部６９ａ、６９ｂに対応して取付孔６９ｃが形成されている。
パッキン部材６４は、図６に示すように冷気吸込ダクト６７、暖気吸込ダクト６５、暖気吐出ダクト６６、冷気吐出ダクト６８の上部の開口部を打ち抜き、開口部周縁を沿って取付孔６９ｂを避ける態様で連続的に成形された弾性を有する1枚のシート状部材である。取付孔６９ｃより、取付孔６９ｂを介して、取付ネジ部６９ａに取付ネジ６９で締結されることにより、パッキン部材６４は圧縮され、冷気吸込ダクト６７、暖気吸込ダクト６５、暖気吐出ダクト６６、冷気吐出ダクト６８間の空気の漏れを防止する。さらに、仕切板４２ｗ，４２ｗの重量により天板６１が下方に加圧されるので、パッキン部材６４のシールがより確実に行われる。
【００１７】
前述のようにダクト部６０は、天板６１、第1の枠体６２、第２の枠体６３、パッキン部材６４を取付ネジ６９の締結により１つのアセンブリ部品となっているので、自動販売機への組み付けを容易にしている。具体的には、底板１１の上にダクト部６０を載置して取設することにより、自動販売機の製造ライン上での組み付けが容易に行える。このことにより、組立コストを低減することができる。
なお、第２の枠体６３は弾性を有するシート部材で形成しても良く、また、この弾性を有する第２の枠体６３がパッキン部材６４を兼用するように構成をして良い。このことにより、前述と同様な効果を得る事ができる。
送風室７０は、図８、９に示すように商品搬出シュート４２の下方に位置しダクト部６０の天板６１との間に形成された区画であり、通風ダクト４５と連通する導入室７１と、ファン７２を介してダクト部６０へ送風する流入室７３と、ダクト部６０から庫内へ吐出する流出室７４とに画成されている。
導入室７１は、図９に示すように前方に向かって断面積が減少する態様で側面壁が三角形の形状をした曲折した板状部材で形成されている。
流入室７３は、板状部材で形成された側壁右７５と側壁左７６の間を前方が仕切板７７にて、後方が背板、上面が天井板７８にて囲繞されて、天井板７８の後方側には、ファン７２が取設されている。流入室７３は、冷却もしくは加熱した空気を後述する通路切替手段８０の切替により冷気吸込ダクト、暖気吸込ダクトへ切り換えるための空間である。
【００１８】
導入室７１、流入室７３は、冷却もしくは加熱する空気を冷却／加熱ユニット９０に戻すための通路であり、流入室７３内の冷気および暖気の吸込口と、流出室７４内の吐出口とを隔絶するように壁面が構成されている。
ファン７２は、商品収納庫４０ａ，４０ｂ、４０ｃ内の商品を冷却もしくは加熱する空気を送風循環するためのものであり、いわゆるボックスファンの構造であり、上方より下方に向けて送風をする。
流出室７４は、下方と上方に開口部を有し、冷却／加熱ユニット９０からの冷却もしくは加熱した空気を冷気吐出ダクト６８、暖気吐出ダクト６６を介して、庫内へ送出させるためのものである。流出室７４は、側壁右７５と側壁左７６の前方縁の下半部を前方側に延在した側壁右７５ａと側壁左７６aとの間で形成されている。側壁右７５ａと側壁左７６aは、商品搬出シュート４２の傾斜に対応して前方側の途中より傾斜した台形状の板金部材である。
通路切替手段８０は、図９に示すように送風室７０内に設置され、商品収納庫４０ａ，４０ｂに循環させる冷気と暖気を切り替えるためのものであり、冷気と暖気の吐出口を切り替える吐出用蓋体８１と、吸込口を切り替える吸込用蓋体８２と、その蓋体を駆動させる駆動機構８３と、ベース板８９を有して構成されている。
【００１９】
吐出用蓋体８１は、図９，１１に示すように下方に開口部を有する箱型形状の曲折板金部材である本体８１ａと、本体８１ａの内部に収設された断熱材８１ｂと、本体８１ａの左右側面から延在した円柱状の４本のピン８１ｃと、本体８１ａの上面より所定の間隔で相対峙する態様で上方に突出した係合片８１ｄ，８１ｅを有して構成されている。
吸込用蓋体８２も、吐出用蓋体８１と同一の形状で本体８２ａ、断熱材８２ｂ、４本のピン８２ｃ、係合片８２ｄ，８２ｅを有して構成されている。
駆動機構８３は、図９〜１１に示すように操作レバー８４、駆動ロッド８５、ピニオン８６、ガイド板８７、遮風板８８（遮蔽板）を有して構成されている。
操作レバー８４は、送風室７０の外側から吐出用蓋体８１、吸込用蓋体８２の開閉を操作するための板状部材である。操作レバー８４には、図１０に示すように先端部に水平に歯溝を形成するラック８４ａと、操作レバー８４を水平にスライド駆動する態様で形成された案内溝８４ｂと、案内溝８４ｂに係合して側壁右７５ａに固着された案内ピン８４ｃと、指などを挿入して操作レバー８４を駆動させるのに便利な孔８４ｄと、吐出用蓋体８１の係合片８１ｄ，８１ｅと係合する駆動ピン８４ｅとを有している。
駆動ロッド８５は、操作レバー８４と連動して吸込用蓋体８２の開閉を操作するための板状部材である。駆動ロッド８５には、先端部に水平に歯溝を形成するラック８５ａと、駆動ロッド８５を水平にスライド駆動する態様で形成された案内溝８５ｂと、案内溝８５ｂに係合して側壁右７５に固着された案内ピン８５ｃと、吸込用蓋体８２の係合片８２ｄ、８２ｅと係合する駆動ピン８５ｅとを有している。
【００２０】
ピニオン８６は、側壁右７５に軸支され、ラック８４ａ、ラック８５ａと係合して、操作レバー８４の動作を駆動ロッド８５に伝達するためのものである。操作レバー８４と駆動ロッド８５とは、互いに反対の方向へ移動する。
ガイド板８７は、板状部材であり、側壁右７５、７５ａ側壁左７６，７６ａにそれぞれ対峙する位置に取設されている。ガイド板８７は、それぞれ吐出用蓋体８１、吸込用蓋体８２の移動を規制するものためのものであって、各ガイド板８７には、両端に短い水平溝と中間に長い水平溝を有し、その水平溝の間を傾斜した溝を形成する２本のガイド溝８７ａが奥行き方向に延在する態様で形成されている。具体的には、ガイド溝８７ａは、短い水平部８７ａａ、上方に傾斜する斜辺部８７ａｂ、長い水平部８７ａｃ、下方に傾斜する斜辺部８７ａｄ、短い水平部８７ａｅで構成されている。各ガイド溝８７ａは、吐出用蓋体８１、吸込用蓋体８２の側面に固着されたガイドピン８１ｃ、８１ｃ、８２ｃ、８２ｃと係合する。
駆動ピン８４ｅは、操作レバー８４に固定され、係合片８１ｄ、８１ｅと係合している。具体的には、操作レバー８４に固定され駆動ピン８４ｅは水平に移動し、駆動ピン８４ｅの水平方向が係合片８１ｄ、８１ｅと当接して規制され、垂直方向が係合片８１ｄ、８１ｅをスライド自在としている。また、駆動ピン８４ｅは、壁面右７５ａに水平に穿孔形成されているガイド溝７５ｂに沿って水平方向の移動を案内される。
【００２１】
駆動ピン８５ｅも、前記の駆動ピン８４ｅと同様に駆動ロッド８５に固定され、係合片８２ｄ、８２ｅに係合して、水平方向を規制し、垂直方向をスライド自在としている。また、駆動ピン８５ｅは、壁面右７５に水平に穿孔形成されているガイド溝７５ｃに沿って水平方向の移動を案内される。
遮風板８８は、駆動ロッド８５の移動する全域でガイド溝７５ｃを遮蔽するためのものであり、ガイド溝７５ｃを介して駆動ロッド８５に取設された水平方向に長い板状部材である。
かかる構成で図１２に示すように（ａ）の冷却運転の状態から（ｃ）の加熱運転の状態に切り替える場合について通路切替手段８０の動作を説明する。
操作レバー８４を奥方向に押すと、操作レバー８４は案内溝８４ｂに沿ってスライド移動し、操作レバー８４に固定された駆動ピン８４ｅが水平に移動し、係合片８１ｄ、８１ｅと係合して吐出用蓋体８１を駆動する。吐出用蓋体８１は、ガイド溝８７ａに規制され、まず水平部８７ａａを移動し、次に斜辺部８７ａｂに沿って上昇する。このとき吐出用蓋体８１が傾斜してロックをしないように係合片８１ｄ、８１ｅと駆動ピン８４ｅにて垂直方向の案内する。次に、吐出用蓋体８１は、図１２（ｂ）に示すように水平部８７ａｃを移動して、斜辺部８７ａｄに沿って下降し、水平部８７ａｅに移動し、図１２（ｃ）に示す位置に停止することにより冷気吐出口６１ｊを閉成し、暖気吐出口６１ｉを開成させる。
【００２２】
一方、吸込用蓋体８２は、操作レバー８４のラック８４ａ、ピニオン８６、駆動ロッド８５のラック８５ａが噛合して手前の方向に移動する。移動の動作は前記と同様に行われ、吸込用蓋体８２は、ガイド溝８７ａに規制され、駆動ロッド８５に固定された駆動ピン８５ｅと係合片８２ｄ、８２ｅとが係合して駆動し、冷気吸込口６１ｇを閉成し暖気吸込口６１ｈを開成する。
このように、ガイド溝８７ａの両辺に形成された短い水平部８７ａａ、８７ａｅにより垂直方向の押付力を保持する結果、吐出用蓋体８１、吸込用蓋体８２を確実に封止する。
また、遮風板８８は、駆動ロッド８５とともに移動しガイド溝７５ｃを全域で遮蔽するので、流入室７３と庫内との空気が流出入することが規制される結果、熱ロスの発生が抑制される。
冷却／加熱ユニット９０は、図１３で示すように断熱壁により加熱室９１、冷却室９２、排熱室９３と、に画成され、機械室５０内に前面から着脱可能に取り付けたカセット式の構造である。機械室５０に挿設された冷却／加熱ユニット９０の上面には、可とう性のシール部材が貼着されており、機械室５０の下部に取設されたポップアップ機構（不図示）にて押し上げられ、底板１１の下壁面と密着し、ダクト部６０と連通している。
【００２３】
冷凍回路は、図１４で示すように構成されている。すなわち、２段の圧縮機９４の第一圧縮機９４ａの吐出側が中間熱交換器９５を介して第二圧縮機９４ｂの吸込側に接続されている。第二圧縮機９４ｂの吐出側は庫内に加熱空気を送出する加熱熱交換器９６に接続され、ガスクーラ９７、内部熱交換器９８の高圧側配管９８ａを介して電子膨張弁１００に接続されている。電子膨張弁１００より電磁弁１０１を介して庫内に冷却空気を送出する蒸発器１０２（冷却熱交換器）に接続され、内部熱交換器９８の低圧側配管９８ｂを介して第一圧縮部９４ａの吸込側に接続されている。なお、３つの商品収納庫４０ａ，４０ｂ，４０ｃを冷却する蒸発器１０２は１つだけで行われ、複数の商品収納庫を冷却加熱する冷凍サイクルとしては簡単な配管構成である。
加熱室９１は、図１３に示すように、圧縮機９４の一部（後部）、加熱熱交換器９６、および、補助加熱するヒータ９９を収設している。
加熱室９１は、暖気吸込ダクト６５の暖気吸込口６２ｃと暖気吐出ダクト６６の暖気吐出口６２ｄとに連通している。したがって、商品収納庫から暖気吸込口６２ｃを介して加熱室９１に空気が供給され、その後、加熱室９１から暖気吐出口６２ｄを介して商品収納庫に空気が供給されることになる。
【００２４】
冷却室９２は、内部熱交換器９８、蒸発器１０２を収設し、冷却／加熱ユニット９０の正面に向かって右側に位置し、上面が開口し、断熱壁により画成された奥行き方向に長い空間である。
冷却室９２は、冷気吸込ダクト６７の冷気吸込口６２ａと冷気吐出ダクト６８の冷気吐出口６２ｂとに連通している。したがって、商品収納庫から冷気吸込口６２ａを介して冷却室９２に空気が供給され、その後、冷却室９２から冷気吐出口６２ｂを介して商品収納庫に空気が供給されることになる。
排熱室９３は、圧縮機９４の一部（前部）、中間熱交換器９５、ガスクーラ９７、室外ファン９７ａを収設し、圧縮機９４の一部（前部）、中間熱交換器９５、ガスクーラ９７の熱を自動販売機の外部へ送出するためのものである。
圧縮機９４は、冷媒を圧縮して高温高圧の状態にするものであって、二回に分けて圧縮作用を行う二段式圧縮機が採用されている。二段式圧縮機は、第一圧縮機９４ａと第二圧縮機９４ｂとから構成され、第一圧縮機９４ａと第二圧縮機９４ｂとの間に中間熱交換器９５が介在するようになっている。また、圧縮機９４は、図１５に示すように後部表面に放熱のためのフィン９４ｃが取設されて、フィン９４ｃを含めて圧縮機９４の後部が加熱室９１内に挿設している。
【００２５】
中間熱交換器９５は、圧縮機９４の効率を上げるため冷媒の圧縮温度を一度に上昇させずに放熱させるためのものである。中間熱交換器９５は、例えば、アルミ製の板状体であるアルミフィンを銅製のチューブが貫通したいわゆるフィンアンドチューブタイプの凝縮器で構成される。
加熱熱交換器９６は、冷媒を凝縮させることにより凝縮熱を放熱し、その凝縮熱を庫内の加熱に利用するためのものである。なお、本実施の形態のように冷媒に二酸化炭素（ＣＯ2冷媒）を用いた場合には、液化することなく超臨界状態となることもある。加熱熱交換器９６は、例えば、アルミ製の板状体であるアルミフィンを銅製のチューブが貫通したいわゆるフィンアンドチューブタイプの凝縮器で構成される。
ガスクーラ９７は、冷媒を凝縮させることにより、ガスクーラ９７の周囲に凝縮熱を放熱し、ガスクーラ９７の周囲の空気を加熱するように構成されている。なお、本実施の形態のように冷媒に二酸化炭素（ＣＯ2冷媒）を用いた場合には、液化することなく超臨界状態となることもある。ガスクーラ９７は、例えば、アルミ製の板状体であるアルミフィンを銅製のチューブが貫通したいわゆるフィンアンドチューブタイプの凝縮器で構成され、中間熱交換器９５の後側に配設されている。
【００２６】
室外ファン９７ａは、圧縮機９４とガスクーラ９７との間に配設され、中間熱交換器９５、ガスクーラ９７、圧縮機９４に通風して、排熱を自動販売機の背面より送出するためのものである。
内部熱交換器９８は、ガスクーラ９７から電子膨張弁１００に流れる高圧の冷媒と蒸発器１０２から圧縮機９４に流れる低圧の冷媒との間で熱交換を行うものである。したがって、内部熱交換器９８の内部において、ガスクーラ９７から電子膨張弁１００に冷媒が流れる高圧側配管９８ａと、蒸発器１０２から圧縮機９４に冷媒が流れる低圧側配管９８ｂとが互いに熱交換可能な距離で向流する態様で配設されている。
ヒータ９９は、加熱熱交換器９６の手前となる位置に配設してあり、庫内の加熱を補助するためのものである。ヒータ９９と対向する加熱室９１の前面には、反射部材（図示せず）が貼着してある。反射部材は、ヒータ９９で温められた空気によって加熱室９１が損傷しないようにしている。
電子膨張弁１００は、図１４に示すように冷媒管路を介して加熱室９１に収容した内部熱交換器９８に接続され、ガスクーラ９７において凝縮された冷媒を断熱膨張させるものであって、断熱膨張された冷媒を減圧して低温低圧とするためのものである。電子膨張弁１００の開度は、制御装置２００により制御される。
【００２７】
電磁弁１０１は、冷媒管路を介して電子膨張弁１００に接続され、開成状態において冷媒を蒸発器１０２に吐出させる一方、閉成状態において冷媒を遮断させるようになっている。
蒸発器１０２は、冷媒を蒸発させることにより蒸発熱を吸収し、その蒸発熱を庫内の冷却に利用するためのものであり、いわゆるフィンアンドチューブ型の熱交換器であって、冷却室９２に対応して奥行き方向に細長い形状である。蒸発器１０２の奥側は、図３に示すように冷却室９２に流入する冷気吸込口６２ａに対峙し、蒸発器１０２の手前側は、冷却室９２より流出する冷気吐出口６２ｂに対峙して配設されている。
制御手段２００は、図１に示すように外扉２０の内側に取設され、内部に主制御部、メモリなどを有し、送風室７０の上部に取設してある庫内センサの温度を検知して、冷却／加熱ユニット９０およびファン７２などの運転を制御して、各商品収納庫４０ａ，４０ｂ，４０ｃの商品を所定の温度にするためのものである。各商品収納庫４０ａ，４０ｂ，４０ｃの冷却加熱の選択は運転モードＳＷにより行われる。
かかる構成において、冷却／加熱ユニット９０およびファン７２を運転すると、図１４に示すように２段の圧縮機９４の第一圧縮機９４ａで圧縮された冷媒が中間熱交換器９５で一度放熱され、さらに第二圧縮機９４ｂにて高圧に圧縮される。圧縮された冷媒は、加熱熱交換器９６、ガスクーラ９７で放熱され、内部熱交換器９８内で熱交換を行うとともに電子膨張弁１００に流入する。電子膨張弁１００で低温低圧に膨張された冷媒は、電磁弁１０１を介して蒸発器１０２に流入して蒸発することにより内部空気を冷却する。その後、蒸発した冷媒は内部熱交換器９８の低圧側配管８５ｂを介して２段圧縮機９４の入口に戻る。
【００２８】
ここで、全ての商品収納庫４０ａ，４０ｂ，４０ｃにおいて商品を冷やすように運転モードＳＷを選択する場合（このように自動販売機を設定した状態を「ＣＣＣモード」という）、開閉操作レバー８４を手前側に引いて、図３，８に示すように商品収納庫４０ａ，４０ｂの暖気吸込口６１ｃ，６１ｈと暖気吐出口６１ｆ，６１ｉを閉成するとともに、冷気吸込口６１ｄ，６１ｇと冷気吐出口６１ｅ，６１ｊを開成する。
商品収納庫４０ａ，４０ｂ，４０ｃの内部空気は、各背面ダクト４４、通風ダクト４５、導入室７１、流入室７３より冷気吸込口６１ａ、６１ｄ、６１ｇを介して冷却吸込ダクト６７に合流する。合流した内部空気は、冷気吸込口６２ａより冷却室９２に入り蒸発器１０２内で冷却され、冷気吐出口６２ｂより冷気吐出ダクト６８に流入する。冷気吐出ダクト６８に流入した内部空気は、冷気吐出口６１ｂ、６１ｅ、６１ｊに分流され、各流出室７４から庫内へ送出して、庫内の商品を冷却する。冷却した内部空気は、各背面ダクト４４より回収され、上述の庫内循環を繰り返す。
そして、商品収納庫４０ａ，４０ｂ，４０ｃに配設した温度センサ（図示せず）がＯＦＦ設定温度（例えば、５°Ｃ）となるまで、ファン７２をオンにする。すると、ファン７２がオンとなった商品収納庫に冷却室９２で冷やされた空気が循環することになり、商品収納庫４０ａ，４０ｂ，４０ｃにおいて商品が冷やされることになる。そして、時間の経過とともに庫内温度が下降し、ファン７２をオフすると時間の経過とともに庫内温度が上昇するので、温度センサがＯＮ設定温度（例えば、８°Ｃ）になるとファン７２をオンする。これを繰り返すことにより、庫内の温度が設定温度内に保たれる。なお、最初に庫内温度が設定温度に到達した商品収納庫の場合には、その商品収納庫のファン７２をオフし、設定温度に到達しない商品収納庫のファン７２はオンを継続する。このように、制御手段２００は商品収納庫ごとにファン７２をオン・オフ制御することにより庫内の温度制御を行う。
【００２９】
また、商品収納庫４０ａにおいて商品を温め、商品収納庫４０ｂ、４０ｃにおいて商品を冷やす場合には（このように自動販売機を設定した状態を「ＨＣＣモード」という）、図４，１２に示すように通路切替手段８０の操作レバー８４を奥側に押し込んで、商品収納庫４０ａの冷気吸込口６１ｇと冷気吐出口６１ｊとを閉成する一方、商品収納庫４０ａの暖気吸込口６１ｈと暖気吐出口６１ｉを開成する。
なお、通路切替手段８０を操作するとき、庫内と流入室７３との間にて開口しているガイド溝７５ｃは、遮風板８８が駆動ロッド８５とともに移動しガイド溝７５ｃの開口部を全域で遮蔽するので、流入室７３と庫内との空気が流出入することが規制される結果、熱ロスの発生が抑制される。
商品収納庫４０ａの内部空気は、図４に示されるように背面ダクト４４、通風ダクト４５、導入室７１、流入室７３より暖気吸込口６１ｈを介して暖気吸込ダクト６５に流入する。流入した内部空気は、暖気気吸込口６２ｃより加熱室９２に入り加熱熱交換器９６、および圧縮機９４のフィン９４ｃにより加熱され、さらに必要に応じてヒータ９９により加熱される。加熱された内部空気は、暖気吐出口６２ｄより暖気吐出ダクト６６に流入し、暖気吸込口６１ｉより流出室７４を介して庫内へ送出して、庫内の商品を加熱する。商品を加熱した内部空気は、背面ダクト４４より回収され、上述の庫内循環を繰り返す。
【００３０】
このように、加熱室９１では、圧縮機９４の放熱をフィン９４ｃにより放出し、それを内部空気の加熱に利用するので、加熱室９１の加熱能力を増加させ、冷却／加熱ユニット９０の効率が向上できる。
そして、商品収納庫４０ａ，４０ｂ，４０ｃに配設した温度センサ（図示せず）がＯＦＦ設定温度（例えば、加温が５５°Ｃ、冷却が５°Ｃ）となるまで、ファン７２をオンにする。すると、ファン７２がオンとなった商品収納庫４０ａに加熱室９１で温められた空気が循環することになり、商品収納庫４０ａにおいて商品が温められることになる。一方、ファン７２がオンとなった商品収納庫４０ｂ，４０ｃに冷却室９２で冷やされた空気が循環することになり、商品収納庫４０ｂ，４０ｃにおいて商品が冷やされることになる。そして、時間の経過とともに商品収納庫４０ａは庫内温度が上昇し、商品収納庫４０ｂ，４０ｃは庫内温度が下降する。ファン７２をオフにすると商品収納庫４０ａの庫内温度は下降し、商品収納庫４０ｂ，４０ｃの庫内温度は上昇する。そして、温度センサがＯＮ設定温度（例えば、加温が５２°Ｃ、冷却が８°Ｃ）になるとファン７２を再びオンする。これを繰り返すことにより、庫内の温度が設定温度に保たれる。なお、各商品収納庫４０ａ，４０ｂ，４０ｃの庫内ファンのオン・オフ運転は、制御手段２００において、それぞれ独立に行われる。
【００３１】
また、商品収納庫４０ａ，４０ｂの商品を温め、商品収納庫４０ｃの商品を冷やす場合の「ＨＨＣモード」、および、商品収納庫４０ａ，４０ｃの商品を冷やし、商品収納庫４０ｂの商品を温める場合の「ＣＨＣモード」においても上述と同様に運転が行われる。
したがって、加熱室９１では、圧縮機９４の放熱をフィン９４ｃにより排熱し、それを内部空気の加熱に利用するので、加熱室９１の加熱能力を増加させ、冷却／加熱ユニット９０の効率が向上できる。
また、別の実施の形態２を図１６にて説明をする。図１６は実施の形態２について圧縮機９４と加熱室９１の構成を示す模式図である。上述の実施形態１と相違する点は、圧縮機９４が加熱室９１と隔絶して取設されている点であり、その他は上述の実施形態１と実質的に同一であるので、その説明を省略する。
図１６に示すように加熱室９１の内部と圧縮機９４の外表面とを熱的接続する熱移送手段１０５が設けられている。具体的には、熱移送手段１０５は、圧縮機９４の外表面に取設したヒートパイプ吸熱部１０５ａと、ヒートパイプ吸熱部１０５ａに接続するヒートパイプ本体１０５ｂと、ヒートパイプ本体１０５ｂに接続し加熱室９１の外表面に接続したヒートパイプ放熱部１０５ｃと、ヒートパイプ放熱部１０５ｃに接続し加熱室９１の内部に取設された排熱回収熱交換器１０５ｄ（ヒートシンクなど）とで構成されている。なお、ヒートパイプ本体１０５ｂは、ヒートパイプ放熱部１０５ｃとの接続部をヒートパイプ吸熱部１０５ａとの接続部よりも上方となるように取設されている。
【００３２】
かかる構成で加熱室９１に関する加熱の動作を説明する。庫内を加熱する内部空気の循環は前述の実施形態１と同一であり、加熱室９１に流入した内部空気は、加熱熱交換器９６、加熱室９１内部の排熱回収熱交換器１０５ｄによって加熱される。すなわち、圧縮機９４からの放熱は、ヒートパイプ吸熱部１０５ａに熱伝導され、ヒートパイプ本体１０５ｂに熱伝導される。ヒートパイプ本体１０５ｂ内では、内部に封入された冷媒が蒸発してヒートパイプ放熱部１０５ｃに沸騰熱伝達される。ヒートパイプ放熱部１０５ｃに熱伝達された熱は、熱伝導で排熱回収熱交換器１０５ｄに移送され、排熱回収熱交換器１０５ｄにより循環内部空気が加熱される。
したがって、加熱室９１では、圧縮機９４の放熱を熱移送手段１０５により内部空気を加熱するので、加熱室９１の加熱能力を増加させ、冷却／加熱ユニット９０の効率が向上できる。さらに、圧縮機９４を加熱室９１と隔絶して配置できるため、圧縮機９４を室外ファン９７の好適な位置に取設することができる結果、圧縮機９４の効率を向上させることができる。
また、別の実施の形態３を図１７にて説明をする。図１７は実施の形態３について圧縮機９４と加熱室９１の構成を示す模式図である。上述の実施形態２と相違する点は、ヒートパイプ本体１０５ｂを有する熱移送手段１０５の代わりに自励振動ヒートパイプ１０５ｆを有する熱移送手段１０６を圧縮機９４と加熱室９１に取設している点であり、その他は上述の実施形態２と実質的に同一であるので、その説明を省略する。
【００３３】
図１７に示すように熱移送手段１０６は、圧縮機９４の外表面に取設したヒートパイプ吸熱部１０５ａと、ヒートパイプ吸熱部１０５ａに接続する自励振動ヒートパイプ１０５ｆと、自励振動ヒートパイプ１０５ｆに接続し加熱室９１の外表面に接続したヒートパイプ放熱部１０５ｃと、ヒートパイプ放熱部１０５ｃに接続し加熱室９１の内部に取設された排熱回収熱交換器１０５ｄとで構成されている。なお、自励振動ヒートパイプ１０５ｆは、ヒートパイプ放熱部１０５ｃとの接続部およびヒートパイプ吸熱部１０５ａとの接続部の位置関係に制約されることはない。
かかる構成で加熱室９１に関する加熱の動作は、前述の通りであり、ヒートパイプ吸熱部１０５ａに熱伝導された圧縮機９４からの放熱は、自励振動ヒートパイプ１０５ｆによりヒートパイプ放熱部１０５ｃに沸騰熱伝達され、排熱回収熱交換器１０５ｄにより循環内部空気が加熱される。
したがって、加熱室９１では、圧縮機９４の放熱を熱移送手段１０５により内部空気を加熱するので、加熱室９１の加熱能力を増加させ、冷却／加熱ユニット９０の効率が向上できる。さらに、圧縮機９４を加熱室９１と隔絶して配置でき、自励振動ヒートパイプ１０５ｆの接続位置に制約がないため、圧縮機９４を室外ファン９７の好適な位置に取設することができる結果、圧縮機９４の効率を向上させることができる。
【産業上の利用可能性】
【００３４】
以上のように、本発明に係る自動販売機は、１台の蒸発器を使用して冷気ダクトを分流、合流させることにより複数の商品収納庫に収容された商品を冷却させるのに有用である。
【図面の簡単な説明】
【００３５】
【図１】本発明に係る実施例１を示す自動販売機の全体図の斜視図である。
【図２】図１に示した自動販売機の外扉と内扉とを開放した状態を示す正面図である。
【図３】図２に示した自動販売機のII−II断面図である。
【図４】図２に示した自動販売機のIII−III断面図である。
【図５】ダクト部の斜視図である。
【図６】ダクト部の分解図である。
【図７】ダクト部の第２の枠体を下から見た斜視図である。
【図８】図２に示した自動販売機の−断面の斜視図である。
【図９】通路切替手段の斜視図である。
【図１０】通路切替手段の側面図である。
【図１１】通路切替手段の断面図である。
【図１２】通路切替手段の動作図である。
【図１３】冷却／加熱装置の斜視図である。
【図１４】図１に示した自動販売機の冷媒回路図である。
【図１５】圧縮機の模式図である。
【図１６】実施の形態２における圧縮機の模式図
【図１７】実施の形態３における圧縮機の模式図
【符号の説明】
【００３６】
１０  本体キャビネット
４０ａ、４０ｂ、４０ｃ  商品収納庫
６０  ダクト部
６１  天板
６１ｅ、６１ｉ  暖気吐出口
６１ｄ、６１ｈ  暖気吸込口
６１ｂ、６１ｆ、６１ｊ  冷気吐出口
６１ａ、６１ｃ、６１ｈ  冷気吸込口
６２  第１の枠体
６３  第２の枠体
６４  パッキン部材
６５  暖気吸込ダクト
６６  暖気吐出ダクト
６７  冷気吸込ダクト
６８  冷気吐出ダクト
７０  送風室
７１  導入室
７２  ファン
７３  流入室
７４  流出室
７５、７５ａ  側壁右
７５ｃ  ガイド溝
７６、７６ａ  側壁左
７７  仕切板
７８  天井板
８０  通路切替手段
８１  吐出用蓋体
８２  吸込用蓋体
８３  駆動機構
８４  操作レバー
８４ｅ  駆動ピン
８５  ロッド
８５ｅ  駆動ピン
８６  ピニオン
８７  ガイド板
９０  冷却／加熱ユニット
９１  加熱室
９２  冷却室
９３  排熱部
９４  圧縮機
９４ｃ  フィン
９６  加熱熱交換器
１０２  蒸発器
１０５，１０６  熱移送手段
【図１】
0005217374.tif 000002
【図２】
0005217374.tif 000003
【図３】
0005217374.tif 000004
【図４】
0005217374.tif 000005
【図５】
0005217374.tif 000006
【図６】
0005217374.tif 000007
【図７】
0005217374.tif 000008
【図８】
0005217374.tif 000009
【図９】
0005217374.tif 000010
【図１０】
0005217374.tif 000011
【図１１】
0005217374.tif 000012
【図１２】
0005217374.tif 000013
【図１３】
0005217374.tif 000014
【図１４】
0005217374.tif 000015
【図１５】
0005217374.tif 000016
【図１６】
0005217374.tif 000017
【図１７】
0005217374.tif 000018